(57)【要約】【課題】簡単かつ確実に利用者端末の端末識別番号を登録することを課題とする。【解決手段】携帯電話装置１からＷＥＢブラウザによるアクセスを受け付けたレコーダ装置１０では、携帯電話装置１の端末識別番号を送信すべき旨の属性（ＵＴＮ属性）およびアクセスキーコードの入力欄を含んだＷＥＢページを携帯電話装置１に送信する。そして、かかるＷＥＢページを受信した携帯電話装置１では、利用者の操作によってアクセスキーコードが入力されて送信が指示されると、ＵＴＮ属性に応じてＨＴＴＰヘッダ内のユーザエージェント情報の末尾に端末識別番号が付加され、アクセスキーコードおよび端末識別番号がレコーダ装置１０に送信される。一方、レコーダ装置１０では、このアクセスキーコードがアクセスキーコード記憶部に登録されているものに一致する場合に限り、携帯電話装置１から受け付けた端末識別番号を端末識別番号記憶部に登録する。【選択図】        図１
2006270230.tif 000002
【特許請求の範囲】
【請求項１】
利用者端末に付与されている端末識別番号を記憶部に記憶して認証に利用するネットワーク装置であって、
前記利用者端末の端末識別番号を送信すべき旨の属性を含んだページ情報を前記利用者端末に送信する端末識別番号要求手段と、
前記端末識別番号要求手段によって送信された前記属性に応えて前記利用者端末から送信されてきた当該利用者端末の端末識別番号を前記記憶部に登録する端末識別番号取得手段と、
を備えたことを特徴とするネットワーク装置。
【請求項２】
前記端末識別番号要求手段は、所定のアクセスキーコードについて入力を促す領域を含んだページ情報を前記利用者端末に送信し、
前記端末識別番号取得手段は、前記属性に応えて前記利用者端末から送信されてきたアクセスキーコードが前記記憶部に予め記憶しておいたアクセスキーコードと一致することを条件に、前記利用者端末の端末識別番号を前記記憶部に登録することを特徴とする請求項１に記載のネットワーク装置。
【請求項３】
前記端末識別番号取得手段は、前記アクセスキーコードを前記記憶部に登録してから所定時間経過後に当該アクセスキーコードを前記記憶部から削除することを特徴とする請求項２に記載のネットワーク装置。
【請求項４】
前記利用者端末と中継装置を介して通信を行い、
前記利用者端末から送信される情報は任意の通信サービス識別子を含み、
前記中継装置に対して前記通信サービス識別子を有する情報の中継を許可させるポートマッピング手段を備えることを特徴とする請求項１、２または３に記載のネットワーク装置。
【請求項５】
前記ポートマッピング手段は、前記通信サービス識別子を有する情報の中継を許容させてから所定時間経過後に、前記通信サービス識別子を有する情報の中継を不許可にすることを特徴とする請求項４に記載のネットワーク装置。
【請求項６】
前記端末識別番号または前記アクセスキーコードは前記通信サービス識別子とともに送信されることを特徴とする請求項４に記載のネットワーク装置。
【請求項７】
利用者端末に付与されている端末識別番号をネットワーク装置に登録する端末識別番号登録方法であって、
前記利用者端末の端末識別番号を送信すべき旨の属性を含んだページ情報を前記ネットワーク装置から前記利用者端末に送信する端末識別番号要求工程と、
前記端末識別番号要求工程によって送信された属性に応えて前記利用者端末から前記ネットワーク装置に送信されてきた当該利用者端末の端末識別番号を当該ネットワーク装置に登録する端末識別番号取得工程と、
を含んだことを特徴とする端末識別番号登録方法。
【請求項８】
利用者端末に付与されている端末識別番号をネットワーク装置に登録する端末識別番号登録プログラムであって、
前記利用者端末の端末識別番号を送信すべき旨の属性を含んだページ情報を前記ネットワーク装置から前記利用者端末に送信する端末識別番号要求手順と、
前記端末識別番号要求手順によって送信された属性に応えて前記利用者端末から前記ネットワーク装置に送信されてきた当該利用者端末の端末識別番号を当該ネットワーク装置に登録する端末識別番号取得手順と、
をコンピュータに実行させることを特徴とする端末識別番号登録プログラム。
【発明の詳細な説明】
【技術分野】
【０００１】
この発明は、ネットワーク装置および端末識別番号登録方法に関する。
【背景技術】
【０００２】
従来より、テレビ番組を録画するＤＶＤレコーダやＨＤＤレコーダのなかには、ネットワークに接続されて利用者の携帯電話装置から録画予約等の操作指示を受け付けるものもある（例えば、特許文献１参照）。このように、レコーダ装置がネットワークに接続される場合には、利用者以外の第三者によるアクセスを排除してセキュリティを確保することが望まれるが、その実現策としては、携帯電話装置の端末識別番号を用いた利用者認証が一例として考えられる。すなわち、正規な利用者の携帯電話装置に一意に付与されている端末識別番号（端末製造番号やＳＩＭカード番号など）を予めレコーダ装置に記憶させておき、レコーダ装置は、ネットワークを介して携帯電話装置がアクセスしてきた際に、かかる携帯電話装置の端末識別番号を取得し、これが予め記憶させておいた端末識別番号に一致する場合に限り、その携帯電話装置からのアクセスを許可して録画予約等の操作指示を受け付けるという実現策である。
【０００３】
また、このように、携帯電話装置の端末識別番号を用いた利用者認証を実現しようとする場合には、上記したように、正規な利用者の携帯電話装置に係る端末識別番号を予めレコーダ装置に登録しておく必要があるが、その登録方法としては、利用者自身が端末識別番号を調べて自らレコーダ装置に対して手入力する方法や、携帯電話装置に組み込まれている特別な専用ソフトウェアでレコーダ装置と赤外線通信を行って端末識別番号をレコーダ装置に登録する方法などが考えられる。
【０００４】
【特許文献１】特開２００４−２３５７７２号公報
【発明の開示】
【発明が解決しようとする課題】
【０００５】
しかしながら、上記した従来の登録方法のうち、利用者自身が端末識別番号を調べて手入力する登録方法では、手入力ゆえに誤設定のおそれがあるので、端末識別番号を簡単かつ確実に登録できるわけではないという課題が一例として挙げられる。また、そもそも利用者自身が端末識別番号を調べることができない携帯電話装置もあるので、全ての携帯電話装置において採用できる登録方法ではないという課題も一例として挙げられる。
【０００６】
また、上記した従来の登録方法のうち、赤外線通信を行って端末識別番号を登録する登録方法では、レコーダ装置と赤外線通信を行うための特別な専用ソフトウェアが組み込まれていない携帯電話装置の場合に、先ずは専用ソフトウェアを組み込んだ上で登録作業を行わなければならないので、端末識別番号を簡単に登録できるわけではないという課題が一例として挙げられる。また、そもそも赤外線通信を行うためのハードウェアを備えていないゆえに赤外線通信が不可能な携帯電話装置もあるので、全ての携帯電話装置において採用できる登録方法ではないという課題も一例として挙げられる。
【０００７】
なお、上記では、ネットワークを介して携帯電話装置からアクセスされるＤＶＤレコーダやＨＤＤレコーダなどが有する課題として説明してきたが、かかる課題はレコーダに限られるものではなく、ネットワークを介して携帯電話装置からアクセスされるパーソナルコンピュータやワークステーション、家庭用ゲーム機、インターネットＴＶなど、ネットワークインタフェースを備えた全てのネットワーク装置が潜在的に有する課題である。さらに、かかる課題は、ネットワーク装置に対するアクセス元が携帯電話装置である場合に限られるものではなく、ＰＨＳ端末やＰＤＡ端末など、少なくとも端末識別番号が一意に付与されている利用者端末がアクセス元となる場合であれば同様に生じ得る課題である。
【課題を解決するための手段】
【０００８】
上述した課題を解決し、目的を達成するため、請求項１に係る発明は、利用者端末に付与されている端末識別番号を記憶部に記憶して認証に利用するネットワーク装置であって、前記利用者端末の端末識別番号を送信すべき旨の属性を含んだページ情報を前記利用者端末に送信する端末識別番号要求手段と、前記端末識別番号要求手段によって送信された属性に応えて前記利用者端末から送信されてきた当該利用者端末の端末識別番号を前記記憶部に登録する端末識別番号取得手段と、を備えたことを特徴とする。
【発明を実施するための最良の形態】
【０００９】
以下に添付図面を参照して、この発明に係るネットワーク装置、端末識別番号登録方法および端末識別番号登録プログラムの実施例を詳細に説明する。なお、以下では、本発明に係る概要および特徴を実施の形態として説明した後に、本発明に係る実施例を実施例１および実施例２に分けて説明する。
【００１０】
［実施の形態］
最初に、図１を用いて、本発明に係る概要および特徴を説明する。図１は、本発明に係る概要および特徴を説明するための図である。なお、以下では、本発明をネットワーク装置としてのレコーダ装置（いわゆるＤＶＤレコーダやＨＤＤレコーダ）に適用した場合を例に挙げて説明する。
【００１１】
本発明に係るレコーダ装置１０は、図１に示すように、携帯電話網３、インターネット網４およびＢＢＲ（Broad Band Router）５からなるネットワークを介して、利用者端末としての携帯電話装置１と接続されるとともに、赤外線通信を介して、当該レコーダ装置１０を遠隔操作するためのリモコン（リモート・コントロール）２と接続される。そして、このレコーダ装置１０は、レコーダ装置１０の利用者が有する携帯電話装置１から録画予約等の操作指示を受け付けるものであって、かかる携帯電話装置１からのアクセスに際して携帯電話装置１の端末識別番号を利用して利用者認証を行う。
【００１２】
具体的に説明すると、レコーダ装置１０の端末識別番号記憶部には、正規な利用者の携帯電話装置１に一意に付与されている端末識別番号が予め登録されており、レコーダ装置１０は、ネットワークを介して携帯電話装置１がアクセスしてきた際に、かかる携帯電話装置１の端末識別番号を取得する。そして、レコーダ装置１０は、この端末識別番号が端末識別番号記憶部に登録している端末識別番号に一致するか否かを判定し、両者が一致する場合に限り、その携帯電話装置１からのアクセスを許可して録画予約等の操作指示を受け付ける。
【００１３】
このような利用者認証を行うレコーダ装置１０では、正規な利用者の携帯電話装置１に係る端末識別番号を端末識別番号記憶部に予め登録する作業が必要になるが、本発明に係るレコーダ装置１０では、その登録手法に主たる特徴があり、利用者自身による手入力や赤外線通信を行うための専用ソフトウェアに頼ることなく、簡単かつ確実に端末識別番号を登録することを可能にしている。以下に、この主たる特徴を簡単に説明する。
【００１４】
図１に示すように、利用者は、先ずリモコン２を操作して、利用者自らが任意に選択したアクセスキーコード（例えば４桁の数字列など）および携帯電話装置１に設定されているメールアドレスをレコーダ装置１０のアクセスキーコード記憶部に登録する（同図の（１）参照）。その後、レコーダ装置１０は、自己にアクセスするためのアクセスＵＲＬ（Uniform Resource Locator）を含んだメールをアクセスキーコード記憶部に登録されたメールアドレス宛に送信する（同図の（２）参照）。
【００１５】
かかるメールを受信した携帯電話装置１では、利用者の操作によってメールが開封されてアクセスＵＲＬに対するアクセスが指示されると、ＷＥＢブラウザによってアクセスＵＲＬ（つまりレコーダ装置１０）にアクセスする（同図の（３）参照）。そして、かかるアクセスＵＲＬによるアクセスを携帯電話装置１から受け付けたレコーダ装置１０では、携帯電話装置１の端末識別番号を送信すべき旨の属性（例えば、ＵＴＮ属性：Underclared Target Namespaces）およびアクセスキーコードの入力欄を含んだＷＥＢページを携帯電話装置１に送信する（同図の（４）参照）。
【００１６】
かかるＷＥＢページを受信した携帯電話装置１では、利用者の操作によってアクセスキーコードが入力されて送信が指示されると、ＵＴＮ属性に応じてＨＴＴＰヘッダ内のユーザエージェント情報の末尾に端末識別番号が付加され、アクセスキーコードおよび端末識別番号がレコーダ装置１０に送信される（同図の（５）参照）。その後、かかるアクセスキーコードおよび端末識別番号を受け付けたレコーダ装置１０では、このアクセスキーコードがアクセスキーコード記憶部に登録されているものに一致するか否か、アクセスキーコード判定を行う（同図の（６）参照）。
【００１７】
そして、レコーダ装置１０は、アクセスキーコード記憶部に登録されているアクセスキーコードと一致する場合には、携帯電話装置１から受け付けた端末識別番号を端末識別番号記憶部に登録する（同図の（７）参照）。一方、アクセスキーコード記憶部に登録されているアクセスキーコードと一致しない場合には、携帯電話装置１から受け付けた端末識別番号を端末識別番号記憶部に登録することなく拒絶する。なお、このようにしてレコーダ装置１０の端末識別番号記憶部に登録された端末識別番号は、上記したように、携帯電話装置１から録画予約等の操作指示を受け付ける際の利用者認証に利用される。
【００１８】
このように、本発明に係るレコーダ装置１０では、携帯電話装置１の端末識別番号を送信すべき旨のＵＴＮ属性を含んだページを携帯電話装置１に送信することで、携帯電話装置１が標準に備えているＷＥＢブラウザによってレコーダ装置１０にアクセスするだけで、携帯電話装置１の端末識別番号がレコーダ装置１０に登録されるようになり、上記した主たる特徴の如く、利用者自身による手入力や赤外線通信を行うための専用ソフトウェアに頼ることなく、簡単かつ確実に端末識別番号を登録することが可能になる。
【実施例１】
【００１９】
以下の実施例１では、上述してきたレコーダ装置１０を実施例１として、この実施例１に係るレコーダ装置１０の構成、レコーダ装置１０による端末識別番号登録処理の流れ、実施例１の効果等を順に説明する。
【００２０】
［レコーダ装置の構成］
最初に、図２〜図５を用いて、実施例１に係るレコーダ装置１０の構成を説明する。図２は、実施例１に係るレコーダ装置の構成を示すブロック図であり、図３は、携帯電話装置に送信されるアクセスＵＲＬの例を示す図であり、図４および図５は、携帯電話装置に送信されるＷＥＢページの例を示す図である。
【００２１】
図２に示すように、このレコーダ装置１０は、リモコン受信部１１と、タイマ部１２と、通信制御ＩＦ部１３と、記憶部１４と、制御部１５とを備えて構成される。なお、レコーダ装置１０としては、ＤＶＤやＨＤＤにＴＶ番組を録画する機能や、録画したＴＶ番組を再生する機能、携帯電話装置１から予約録画等の操作指示を受け付けて処理する機能などの基本機能も有するが、ここでは、かかる基本機能を担う構成部分については図示および説明を省略し、本発明に係る端末識別番号登録処理を担う構成部分を中心にして図示および説明する。
【００２２】
図２に示したレコーダ装置１０のうち、リモコン受信部１１は、リモコン２から送出された操作指示等の信号を受信するインタフェースであり、特に本発明に密接に関連するものとしては、利用者自らが任意に選択したアクセスキーコード（例えば４桁の数字列など）および携帯電話装置１に設定されているメールアドレスをレコーダ装置１０に登録するための操作を受け付ける。
【００２３】
タイマ部１２は、時刻を計時する処理部であり、具体的には、制御部１５からタイマスタート信号が入力されると計時を開始し、また、制御部１５からタイマリセット信号が入力されると計時を終了して時刻をリセットする。通信制御ＩＦ部１３は、ＢＢＲ５や携帯電話装置１との間で行われる通信を制御する処理部であり、特に本発明に密接に関連するものとしては、ＢＢＲ５との間でポートマッピング情報の送受信、携帯電話装置１との間でメールの送信、アクセスＵＲＬに対するアクセス要求の受信、ＵＴＮ属性およびアクセスキーコードの入力欄を含んだＷＥＢページの送信、アクセスキーコードおよび端末識別番号を含んだＨＴＴＰメッセージの受信などを制御する。
【００２４】
記憶部１４は、制御部１５による各種処理に必要なデータおよびプログラムを格納する格納手段（記憶手段）であり、特に本発明に密接に関連するものとしては、図２に示すように、アクセスキーコード記憶部１４ａと、端末識別番号記憶部１４ｂとを備える。なお、アクセスキーコード記憶部１４ａおよび端末識別番号記憶部１４ｂは特許請求の範囲に記載の「記憶部」に対応する。
【００２５】
このうち、アクセスキーコード記憶部１４ａは、利用者からリモコン２を介して受け付けたアクセスキーコードおよびメールアドレスを対応付けて記憶する。また、端末識別番号記憶部１４ｂは、携帯電話装置１から受け付けた端末識別番号を記憶する。なお、複数の利用者がレコーダ装置１０を利用する場合には、利用者ごとに（例えばメールアドレスごとに）アクセスキーコードや端末識別番号を記憶する。
【００２６】
制御部１５は、制御プログラムや各種の処理手順などを規定したプログラムおよび所要データを格納するための内部メモリを有し、これらによって種々の処理を実行する処理部であり、特に本発明に密接に関連するものとしては、図２に示すように、リモコン制御部１５ａと、ポートマッピング部１５ｂと、メール制御部１５ｃと、Ｗｅｂ処理部１５ｄと、番号登録部１５ｅとを備える。なお、ポートマッピング部１５ｂは特許請求の範囲に記載の「ポートマッピング手段」に対応し、Ｗｅｂ処理部１５ｄは同じく「端末識別番号要求手段」に対応し、番号登録部１５ｅは同じく「端末識別番号取得手段」に対応する。
【００２７】
このうち、リモコン制御部１５ａは、リモコン２から送出された操作指示等を処理する処理部であり、特に本発明に密接に関連するものとしては、リモコン２を介した利用者の操作指示に従って、利用者自らが任意に選択したアクセスキーコードおよび携帯電話装置１のメールアドレスを受け付け、かかるアクセスキーコードおよびメールアドレスをアクセスキーコード記憶部１４ａに登録する。
【００２８】
ポートマッピング部１５ｂは、ＢＢＲ５を制御してポートマッピングの設定や解除を行う処理部である。具体的には、いわゆるＵＰｎＰ（Universal Plug and Play）技術を利用して、ＢＢＲ５のＷＡＮ側（外側）のＩＰアドレスを取得した後に、ＷＡＮ側のアクセスポート番号（通信サービス識別子）とＬＡＮ側（内側）の転送先であるレコーダ装置１０とのマッピングを行う。つまり、「ポート番号XXXX番への通信はレコーダ装置１０のアドレスYYY.YYY.YYY.YYYに転送して下さい」といったポートマッピング情報をＢＢＲ５に設定することになるが、かかるポートマッピングを行って初めて、外側にある携帯電話装置１はＢＢＲ５を通じてレコーダ装置１０にアクセスすることが可能になる。
【００２９】
また、ポートマッピング部１５ｂは、かかるポートマッピング後にタイマ部１２に対してタイマスタート信号を送出して計時を開始させ、かかるタイマ部１２が所定時間（例えば５分など、端末識別番号登録処理を正当に行うに必要十分な時間）を計時した場合には、ポートマッピングで設定したポートマッピング情報をＢＢＲ５から削除してポートマッピングを解除する。このポートマッピングの解除によって、外側にある携帯電話装置１はＢＢＲ５を通じてレコーダ装置１０にアクセスすることが不可能になる。さらに、ポートマッピング部１５ｂは、上記したタイマ部１２による所定時間の経過前においては、携帯電話装置１から受け付けた端末識別番号が端末識別番号記憶部１４ｂに登録された場合に、ＢＢＲ５からポートマッピング情報を削除してポートマッピングを解除する。
【００３０】
メール制御部１５ｃは、レコーダ装置１０にアクセスするためのアクセスＵＲＬ（Uniform Resource Locator）を含んだメールを利用者の携帯電話装置１に送信する処理部である。具体的には、ポートマッピング部１５ｂがＢＢＲ５から取得したＩＰアドレスおよびアクセスポート番号を用いて、レコーダ装置１０にアクセスするためのアクセスＵＲＬ（図３参照）を作成するとともに、アクセスキーコード記憶部１４ａに記憶されたメールアドレスを読み出し、かかるアクセスＵＲＬを本文に含んだメールをかかるメールアドレス宛に送信する。つまり、アクセスキーコードおよびメールアドレスを登録した正規な利用者の携帯電話装置１にのみアクセスＵＲＬを送信する趣旨である。
【００３１】
Ｗｅｂ処理部１５ｄは、携帯電話装置１からの要求に応じてＨＴＭＬ（HyperText Markup Language）文書や画像からなるＷＥＢページを携帯電話装置１に送信する処理部である。具体的には、上記のアクセスＵＲＬに対して携帯電話装置１からアクセス要求を受け付けると、携帯電話装置１の端末識別番号を送信すべき旨の属性（ＵＴＮ属性）およびアクセスキーコードの入力欄を含んだＷＥＢページを携帯電話装置１に送信する。つまり、図４や図５に例示するような属性およびタグを含んだＨＴＭＬデータからなるＷＥＢページを携帯電話装置１に送信する。なお、かかるＷＥＢページを受信した携帯電話装置１では、利用者の操作によってアクセスキーコードが入力されて送信が指示されると、ＵＴＮ属性に応じてＨＴＴＰヘッダ内のユーザエージェント情報の末尾に端末識別番号が付加され、アクセスキーコードおよび端末識別番号がレコーダ装置１０に送信される。つまり、端末識別番号およびアクセスキーコードは、通信サービス識別子（ポートマッピングで設定されたポート番号）とともにＢＢＲ５へ送信される。
【００３２】
番号登録部１５ｅは、携帯電話装置１から受け付けたアクセスキーコードおよび端末識別番号を処理する処理部である。具体的には、携帯電話装置１から受け付けたアクセスキーコードがアクセスキーコード記憶部１４ａに登録されているものに一致するか否か、アクセスキーコード認証を行う。そして、アクセスキーコード記憶部１４ａに登録されているアクセスキーコードと一致する場合には、携帯電話装置１から受け付けた端末識別番号を端末識別番号記憶部１４ｂに登録するが、一方、アクセスキーコード記憶部１４ｂに登録されているアクセスキーコードと一致しない場合には（さらには、アクセスキーコード記憶部１４ｂから既にアクセスキーコードが削除されている場合には）、携帯電話装置１から受け付けた端末識別番号を端末識別番号記憶部１４ｂに登録することなく拒絶する。
【００３３】
また、番号登録部１５ｅは、携帯電話装置１から受け付けた端末識別番号が端末識別番号記憶部１４ｂに登録された後に、アクセスキーコード認証に用いたアクセスキーコードをアクセスキーコード記憶部１４ａから削除するとともに、タイマ部１２にタイマリセット信号を送出して計時の終了並びに時刻のリセットを要求し、さらには、ポートマッピング部１５ｂに対してポートマッピングの解除を要求する。
【００３４】
［端末識別番号登録処理］
続いて、図６を用いて、上記したレコーダ装置１０による端末識別番号登録処理の流れを説明する。図６は、レコーダ装置による端末識別番号登録処理の流れを示すフローチャートである。
【００３５】
同図に示すように、レコーダ装置１０は、リモコン２を介した利用者の操作指示に従って、利用者自らが任意に選択したアクセスキーコード（例えば４桁の数字列）および携帯電話装置１のメールアドレスを受け付けると（ステップＳ６０１）、かかるアクセスキーコードおよびメールアドレスをアクセスキーコード記憶部１４ａに登録する（ステップＳ６０２）。さらに、レコーダ装置１０は、ＵＰｎＰ技術を利用して、ＢＢＲ５のＷＡＮ側のＩＰアドレスを取得した後に、ＷＡＮ側のアクセスポート番号とＬＡＮ側の転送先であるレコーダ装置１０とのマッピング情報をＢＢＲ５に設定するとともに（ステップＳ６０３）、タイマ部１２に対してタイマスタート信号を送出して計時を開始させる（ステップＳ６０４）。
【００３６】
これに続いて、レコーダ装置１０は、ＢＢＲ５から取得したＩＰアドレスおよびアクセスポート番号を用いて、自らにアクセスするためのアクセスＵＲＬ（図３参照）を作成するとともに（ステップＳ６０５）、アクセスキーコード記憶部１４ａに記憶されたメールアドレスを読み出し、かかるアクセスＵＲＬを本文に含んだメールをかかるメールアドレス宛に送信する（ステップＳ６０６）。なお、メール送信（ステップＳ６０６）の後にタイマ部１２にタイマスタート信号を送出するようにしてもよい。
【００３７】
かかるメールを受信した携帯電話装置１では、利用者の操作によってメールが開封されてアクセスＵＲＬに対するアクセスが指示されると、ＷＥＢブラウザによってアクセスＵＲＬ（つまりレコーダ装置１０）にアクセス要求が送出されるが（ステップＳ６０７）、かかるアクセス要求を受け付けたレコーダ装置１０では、携帯電話装置１の端末識別番号を送信すべき旨のＵＴＮ属性およびアクセスキーコードの入力欄を含んだＷＥＢページ（図４および図５参照）を携帯電話装置１に送信する（ステップＳ６０８）。
【００３８】
その後、かかるＷＥＢページを受信した携帯電話装置１では、利用者の操作によってアクセスキーコードが入力されて送信が指示されると、ＵＴＮ属性に応じてＨＴＴＰヘッダ内のユーザエージェント情報の末尾に端末識別番号が付加され、アクセスキーコードおよび端末識別番号がレコーダ装置１０に送信されるが（ステップＳ６０９）、かかるアクセスキーコードおよび端末識別番号を受け付けたレコーダ装置１０では、このアクセスキーコードがアクセスキーコード記憶部１４ａに登録されているものに一致するか否か、アクセスキーコード認証を行う（ステップＳ６１０）。
【００３９】
そして、携帯電話装置１から受け付けたアクセスキーコードがアクセスキーコード記憶部１４ａに登録されているアクセスキーコードと一致する場合には、レコーダ装置１０は、携帯電話装置１から受け付けた端末識別番号を端末識別番号記憶部１４ｂに登録する（ステップＳ６１１）。なお、これとは反対に、アクセスキーコード記憶部１４ｂに登録されているアクセスキーコードと一致しない場合には（さらには、アクセスキーコード記憶部１４ｂから既にアクセスキーコードが削除されている場合には）、携帯電話装置１から受け付けた端末識別番号を端末識別番号記憶部１４ｂに登録することなく拒絶し、例えば、上記したステップＳ６０８に戻って、アクセスキーコードを再度受け付ける。
【００４０】
かかる端末識別番号の登録に続いて、レコーダ装置１０は、アクセスキーコード認証に用いたアクセスキーコードをアクセスキーコード記憶部１４ａから削除するとともに、タイマ部１２による計時の終了並びに時刻のリセットを行い、さらには、ＢＢＲ５からポートマッピング情報を削除してポートマッピングを解除する（ステップＳ６１２）。なお、レコーダ装置１０では、上記したステップＳ６０３によるポートマッピング後にタイマ部１２が所定時間（例えば５分など）を計時した場合にも、ＢＢＲ５からポートマッピング情報を削除してポートマッピングを解除する。
【００４１】
［実施例１の効果］
上述してきたように、実施例１によれば、携帯電話装置１の端末識別番号を送信すべき旨の属性（例えばＵＴＮ属性）を含んだＷＥＢページを携帯電話装置１に送信し、かかるＵＴＮ属性に応えて携帯電話装置１から送信されてきた当該携帯電話装置１の端末識別番号を端末識別番号記憶部１４ｂに登録するので、携帯電話装置１が標準に備えているＷＥＢブラウザによってレコーダ装置１０にアクセスするだけで、携帯電話装置１の端末識別番号がレコーダ装置１０の端末識別番号記憶部１４ｂに登録され、これによって、利用者自身による手入力や赤外線通信を行うための専用ソフトウェアに頼ることなく、簡単かつ確実に端末識別番号を登録することが可能になる。
【００４２】
また、実施例１によれば、ＵＴＮ属性の他に所定のアクセスキーコードについて入力を促す領域を含んだＷＥＢページを携帯電話装置１に送信し、かかるページに応えて携帯電話装置１から送信されてきたアクセスキーコードがアクセスキーコード記憶部１４ａに予め記憶しておいたアクセスキーコードと一致することを条件に、携帯電話装置１の端末識別番号を端末識別番号記憶部１４ｂに登録するので、予め記憶されているアクセスキーコードを知っている正規な利用者にのみ端末識別番号の登録が認められ、これによって、第三者による端末識別番号の登録を防止することが可能になる。
【００４３】
また、実施例１によれば、携帯電話装置１との間にあるＢＢＲ５に対してポートマッピングを行って携帯電話装置１からのアクセスを可能にするが、携帯電話装置１からのアクセスを可能にしてから所定時間経過後にポートマッピングを削除する（ポートマッピングで設定した通信サービス識別子であるポート番号を有する情報の中継を不許可にする）ので、例えば、ＢＢＲ５に対してポートマッピングを行って外部ネットワークにある携帯電話装置１からのアクセスを可能にしたような場合でも、かかるアクセス可能状態は所定時間経過後に解除され、これによって、レコーダ装置１０に対する外部ネットワークからの不正アクセスを防止することが可能になる。
【実施例２】
【００４４】
さて、これまで実施例１に係るレコーダ装置１０について説明したが、本発明は上述した実施例以外にも、種々の異なる形態にて実施されてよいものである。そこで、以下では実施例２として種々の異なる実施例を説明する。
【００４５】
（１）アクセスキーコード
例えば、上記の実施例１では、タイマ部１２による計時によってポートマッピングから所定時間経過後にポートマッピングを解除する場合を説明したが、本発明はこれに限定されるものではなく、アクセスキーコードをアクセスキーコード記憶部１４ａに記憶してから所定時間（例えば５分など、端末識別番号登録処理を正当に行うに必要十分な時間）経過後に当該アクセスキーコードをアクセスキーコード記憶部１４ａから削除するようにしてもよい。すなわち、所定時間内における正規な利用者にのみ端末識別番号の登録を認める趣旨であり、これによって、所定時間経過後にアクセスキーコードが第三者に漏洩したような場合でも、第三者による端末識別番号の登録を防止することが可能になる。
【００４６】
また、上記の実施例１では、アクセスキーコードを利用者自身が任意に選択する場合を説明したが、本発明はこれに限定されるものではなく、例えば、予めレコーダ装置１０側で指定したアクセスキーコードを利用者に提示し、かかるアクセスキーコードを携帯電話装置１から受け付けることでアクセスキーコードの認証を行うようにしてもよい。
【００４７】
また、上記の実施例１では、リモコン２を操作してアクセスキーコードやメールアドレスをレコーダ装置１０に登録する場合を説明したが、本発明はこれに限定されるものではなく、例えば、レコーダ装置１０の操作部を通じてアクセスキーコード等を直接入力する、レコーダ装置１０とＬＡＮを介して接続されるコンピュータを通じてアクセスキーコード等を直接入力するなど、その入力形態は問わない。
【００４８】
また、上記の実施例１では、アクセスキーコードの認証を行ってから端末識別番号を登録する場合を説明したが、本発明はこれに限定されるものではなく、アクセスキーコードの認証を行うことなく端末識別番号を登録するようにしてもよい。すなわち、アクセスキーコードを用いた認証は本発明に必須のものではなく、リモコン２によるアクセスキーコードの登録、携帯電話装置１によるアクセスキーコードの入力など、アクセスキーコードに係る処理を一切行うことなく、端末識別番号を登録するようにしてもよい。
【００４９】
（２）利用者端末およびネットワーク装置
また、上記の実施例１では、ネットワークを介して携帯電話装置１からアクセスされるレコーダ装置１０（ＤＶＤレコーダやＨＤＤレコーダなど）に本発明を適用した場合を説明したが、本発明はこれに限定されるものではなく、ネットワークを介して携帯電話装置１からアクセスされるパーソナルコンピュータやワークステーション、家庭用ゲーム機、インターネットＴＶなど、ネットワークインタフェースを備えたネットワーク装置であれば本発明を同様に適用することができる。
【００５０】
また、上記の実施例１では、携帯電話装置１からのアクセスについて本発明を適用する場合を説明したが、本発明はこれに限定されるものではなく、ＰＨＳ端末やＰＤＡ端末など、少なくとも端末識別番号が一意に付与されている利用者端末からのアクセスであれば本発明を同様に適用することができる。すなわち、これらの利用者端末に一意に付与されている端末識別番号を登録する場合にも本発明を同様に適用することができる。
【００５１】
（３）システム構成等
また、上記の実施例１で説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（特に、図３〜図５に示した情報）については、特記する場合を除いて任意に変更することができる。
【００５２】
また、図２に示したレコーダ装置１０の各構成要素は機能概念的なものであり、必ずしも物理的に図示の如く構成されていることを要しない。すなわち、レコーダ装置１０の分散・統合の具体的形態は図示のものに限られず、例えば、Ｗｅｂ処理部１５ｄおよび番号登録部１５ｅを統合するなど、その全部または一部を各種の負荷や使用状況などに応じて任意の単位で機能的または物理的に分散・統合して構成することができる。さらに、レコーダ装置１０にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５３】
なお、上記の実施例１では、本発明を実現するレコーダ装置１０を機能面から説明したが、レコーダ装置１０の各機能はパーソナルコンピュータやワークステーションなどのコンピュータにプログラムを実行させることによって実現することもできる。すなわち、上記の実施例で説明した各種の処理手順は、あらかじめ用意されたプログラムをコンピュータ上で実行することによって実現することができる。そして、これらのプログラムは、インターネットなどのネットワークを介して配布することができる。さらに、これらのプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。つまり、例を挙げれば、実施例１に示したようなレコーダ装置用プログラムを格納したＣＤ−ＲＯＭを配布し、このＣＤ−ＲＯＭに格納されたプログラムをコンピュータが読み出して実行するようにしてもよい。
【図面の簡単な説明】
【００５４】
【図１】本発明に係る概要および特徴を説明するための図である。
【図２】実施例１に係るレコーダ装置の構成を示すブロック図である。
【図３】携帯電話装置に送信されるアクセスＵＲＬの例を示す図である。
【図４】携帯電話装置に送信されるＷＥＢページの例を示す図である。
【図５】携帯電話装置に送信されるＷＥＢページの例を示す図である。
【図６】レコーダ装置による端末識別番号登録処理の流れを示すフローチャートである。
【符号の説明】
【００５５】
１  携帯電話装置
２  リモコン
３  携帯電話網
４  インターネット網
５  ＢＢＲ（Broad Band Router）
１０  レコーダ装置
１１  リモコン受信部
１２  タイマ部
１３  通信制御ＩＦ部
１４  記憶部
１４ａ  アクセスキーコード記憶部
１４ｂ  端末識別番号記憶部
１５  制御部
１５ａ  リモコン制御部
１５ｂ  ポートマッピング部
１５ｃ  メール制御部
１５ｄ  Ｗｅｂ処理部
１５ｅ  番号登録部
【図１】
2006270230.tif 000003
【図２】
2006270230.tif 000004
【図３】
2006270230.tif 000005
【図４】
2006270230.tif 000006
【図５】
2006270230.tif 000007
【図６】
2006270230.tif 000008